(57)【要約】【課題】  データの改ざんを防止でき、信頼性の高い廃棄物監視システム及び廃棄物監視方法を提供する。【解決手段】  蓋１８のついた容器１０には、排出者１２から排出された廃棄物が収納され、運搬車両１４により最終処理業者１６等に運搬され、所定の廃棄場所へ廃棄される。容器１０の蓋１８には通報端末２０が設置され、容器１０の蓋１８が開閉される度に、ＧＰＳ衛星等を介して取得した容器１０の位置情報を監視センタ２２に通報する。監視センタ２２では、これらの情報により、適正な場所で容器１０の蓋１８が開けられているかを知ることができ、不法投棄の有無を監視できる。【選択図】        図１
2005022852.tif 000002
【特許請求の範囲】
【請求項１】
廃棄物を収納する蓋付きの容器と、
前記容器に設置され、前記蓋の開放及び／または閉鎖を検出すると、前記容器の位置情報を通報する通報端末と、
前記通報端末から位置情報を受け取って記憶する監視センタと、
を備えることを特徴とする廃棄物監視システム。
【請求項２】
前記通報端末は、リセット操作により電源がオフとなり、その後最初に前記容器の蓋が閉鎖されると電源がオンとなることを特徴とする請求項１記載の廃棄物監視システム。
【請求項３】
前記通報端末は、前記位置情報とともに前記蓋の開放または閉鎖を区別して前記監視センタへ通報することを特徴とする請求項１または請求項２記載の廃棄物監視システム。
【請求項４】
廃棄物を容器に収納し、その容器を所定の廃棄場所へ運搬して廃棄物を廃棄する一連の廃棄物処理を監視する廃棄物監視方法であって、
廃棄物を収納する蓋付きの容器に、蓋の開閉及び容器の位置情報を検知できる通報端末を設置する工程と、
前記通報端末から前記蓋の開放及び／または閉鎖の度に前記容器の位置情報を監視センタに通報する工程と、
前記監視センタにおいて、前記通報された位置情報を記憶する工程と、
前記記憶した位置情報を必要に応じて表示または出力する工程と、
を備えることを特徴とする廃棄物監視方法。
【請求項５】
前記表示または出力する工程は、前記位置情報を受け取った時系列で表示または出力することを特徴とする廃棄物監視方法。
【発明の詳細な説明】
【技術分野】
【０００１】
本発明は、廃棄物の排出、運搬、中間処理、最終処分等の一連の廃棄物処理が適正に実施されているか否かを監視するための廃棄物監視システム及び廃棄物監視方法の改良に関する。
【背景技術】
【０００２】
従来、廃棄物の排出、運搬、中間処理、最終処分等の一連の廃棄物処理は、管理伝票であるマニフェストにより管理され、不法投棄の防止等が図られていた。しかし、このマニフェストは、廃棄物とともに移動するという原則が守られず、改ざんされる可能性があるので、必ずしも信頼性の高い廃棄物の監視手段となっていなかった。
【０００３】
そこで、特許文献１には、廃棄物処理の監視を強化するために、廃棄物の運搬車両の位置をグローバルポジショニングシステム（ＧＰＳ）を使用して監視するシステムが開示されている。
【特許文献１】特開平１１−２６８８０２号公報
【発明の開示】
【発明が解決しようとする課題】
【０００４】
しかし、上記従来の技術においては、廃棄物を運搬するための車両の位置を監視するにすぎず、廃棄物を容器に収納して運搬する場合には、その容器の動態までは監視できないので、廃棄物監視システムとしては必ずしも十分とは言えなかった。この対策として、上記特許文献１にも記載されているように、廃棄物用容器にバーコードを付し、このバーコードを所定の地点で読み取って容器の動態を監視することも考えられる。しかし、バーコードを読み取る作業が人手で行われるため、改ざんの可能性を完全には排除できないという問題があった。
【０００５】
本発明は、上記従来の課題に鑑みなされたものであり、その目的は、データの改ざんを防止でき、信頼性の高い廃棄物監視システム及び廃棄物監視方法を提供することにある。
【課題を解決するための手段】
【０００６】
上記目的を達成するために、本発明は、廃棄物監視システムであって、廃棄物を収納する蓋付きの容器と、容器に設置され、蓋の開放及び／または閉鎖を検出すると、容器の位置情報を通報する通報端末と、通報端末から位置情報を受け取って記憶する監視センタと、
を備えることを特徴とする。上記通報端末は、リセット操作により電源がオフとなり、その後最初に容器の蓋が閉鎖されると電源がオンとなるように構成する。また、上記通報端末は、位置情報とともに前記蓋の開放または閉鎖を区別して監視センタへ通報するのが好適である。
【０００７】
また、廃棄物を容器に収納し、その容器を所定の廃棄場所へ運搬して廃棄物を廃棄する一連の廃棄物処理を監視する廃棄物監視方法であって、廃棄物を収納する蓋付きの容器に、蓋の開閉及び容器の位置情報を検知できる通報端末を設置する工程と、通報端末から蓋の開放及び／または閉鎖の度に容器の位置情報を監視センタに通報する工程と、監視センタにおいて、通報された位置情報を記憶する工程と、記憶した位置情報を必要に応じて表示または出力する工程と、を備えることを特徴とする。上記表示または出力する工程は、位置情報を、受け取った時系列で表示または出力するのが好適である。
【発明の効果】
【０００８】
本発明によれば、廃棄物を収納する容器の蓋を開閉するごとに、通報端末が容器の位置情報を監視センタに通報するので、容器の位置及び蓋の開閉に関する情報を、人間の介在なしに収集でき、信頼性の高い廃棄物監視システム及び廃棄物監視方法を実現できる。
【発明を実施するための最良の形態】
【０００９】
以下、本発明を実施するための最良の形態（以下、実施形態という）を、図面に従って説明する。
【００１０】
図１には、本発明にかかる廃棄物監視システムの構成例が示される。図１において、蓋付きの容器１０には、排出者１２から排出された廃棄物が収納される。廃棄物を収納した容器１０は、運搬車両１４により最終処理業者１６等に運搬され、所定の廃棄場所へ廃棄される。
【００１１】
容器１０の蓋１８には通報端末２０が設置されている。通報端末２０は、蓋１８が開閉される度に、容器１０の位置情報を監視センタ２２に通報する。すなわち、通報端末２０は、ＧＰＳ（global positioning system）信号を内蔵しているＧＰＳアンテナにて受信し、このＧＰＳ信号に基づいて現在位置情報を取得できる。また、蓋の開閉を後述する開閉検出スイッチ３０で検出すると、現在位置を取得する。そして、予め設定されている自己の識別コード、蓋の開閉識別コード、及び時刻情報とともに、位置情報を携帯電話網を経由して監視センタ２２に無線通報する。なお、かかる構成は、位置検出機能付きの携帯電話等でよく知られているので、詳細な説明は省略する。
【００１２】
監視センタ２２は、コンピュータシステムであって、携帯電話網及びインターネットなどの通信回線と接続されている。監視センタ２２では、携帯電話網を経由して受信した通報端末２０からの位置情報等をサーバーに記憶する。すなわち、受信した信号から通報端末２０の識別コード、位置情報、蓋の開閉識別コード、通報時刻などのデータをハードディスク等の記憶媒体にデータベース化して記憶する。そして、排出者１２等は、手持ちのパソコンによって、インターネットを介して監視センタ２２のサーバーにアクセスすることができる。監視センタ２２へアクセスするにあたっては、通報端末２０単位となる自己識別コード毎にアクセス権限が設定されている。アクセス権限を有する排出者１２等は、自己のパソコンからインターネット経由で容器１０の蓋１８が開閉された位置及び時刻を表示し、確認することができる。なお、パソコンのディスプレイには、蓋１８の開閉時刻の順番に位置情報を表示させるようにデータベースを構築しておくと、容器１０の動態が把握しやすくなる。
【００１３】
この情報を参照することにより、排出者１２等は、適切な場所で容器１０の蓋１８が開けられたか否かを知ることができ、廃棄物の処理が適正に行われているか確認することができる。なお、監視センタ２２のサーバに記憶された位置情報等のデータは、排出者１２等の権限者であっても参照できるにとどまり、データの改ざんができないようにされている。
【００１４】
また、監視センタ２２では、排出者１２等から容器１０の蓋１８が何時どこで開閉されたかを提示してもらいたい旨の要請があった場合、サーバーに蓄積されたデータであることを証明した紙媒体や電子透かし等を施した上で電子媒体に出力することができる。これにより、排出者１２が関与できない監視センタ２２にて、容器１０の動態情報を管理証明することができ、排出者１２が適正に廃棄処理を行っていることを示すことが可能となる。
【００１５】
図２には、通報端末２０の構成例が示される。図２において、通報端末２０のケース２４の内部には、容器１０の位置情報をＧＰＳ衛星等を介して取得し、蓋１８の開放及び閉鎖の情報とともに監視センタ２２に通報する情報発信装置２６が収容されている。また、ケース２４の内部には、情報発信装置２６にコネクタ２７で接続され、情報発信装置２６の電源のオン、オフを制御するための電源制御部２８も収容されている。この電源制御部２８には、容器１０の蓋１８の開放及び閉鎖を検出するための開閉検出スイッチ３０が接続されている。この開閉検出スイッチ３０の先端には駆動レバー３１が設けられ、蓋１８の開放及び閉鎖時に容器１０の内壁等に駆動レバー３１が接触してその角度が変更されることにより蓋１８の開閉が検出される。
【００１６】
図３には、容器１０の蓋１８を閉鎖したことを検出する際の説明図が示される。図３において、容器１０に蓋１８を被せると、開閉検出スイッチ３０の先端に設けられた駆動レバー３１が容器１０の内壁に接触し、その角度が変更される。この駆動レバー３１の角度の変更により容器１０の蓋１８の閉鎖が検出される。また、容器１０から蓋１８が外されると、開閉検出スイッチ３０に内蔵されたバネ機構により駆動レバー３１の角度が元に戻り、蓋１８の開放が検出される。
【００１７】
再度図２に戻って、上記情報発信装置２６には、バッテリが内蔵されており、適宜コネクタ２７から取り外されて充電される。また、内蔵のバッテリのみを情報発信装置２６から取り出して充電する構成としてもよい。また、上記電源制御部２８には、リセットスイッチ３２が接続されており、ケース２４に上蓋３４を取り付けると、上蓋３４の押圧部３６がリセットスイッチ３２の押しボタン３８を押してリセットスイッチ３２がオンとなるように構成されている。
【００１８】
図４には、電源制御部２８の構成のブロック図が示される。図４において、ケース２４に上蓋３４を取り付けることによりリセットスイッチ３２がオンとなると、この状態がラッチ回路４０にラッチされる。このときのラッチ回路４０の出力信号により、電源制御回路４２が、情報発信装置２６の電源がオフになるように制御する。このときのケース２４に上蓋３４を取り付ける操作が、本発明のリセット操作に相当する。このように、リセット操作で情報発信装置２６の電源をオフとしておくことにより、上記内蔵バッテリの電力消費を抑制することができる。
【００１９】
次に、開閉検出スイッチ３０により蓋１８の最初の閉鎖が検出されると、その検出信号が開閉検出スイッチ３０からラッチ回路４０に入力され、ラッチ回路４０がセット状態となる。ラッチ回路４０がセット状態となると、ラッチ回路４０から電源制御回路４２にセット信号が出力され、これにより電源制御回路４２が、情報発信装置２６の電源がオンになるように制御する。情報発信装置２６の電源がオンとなると、開閉検出スイッチ３０による蓋１８の開放及び閉鎖の検出信号が直接情報発信装置２６で受け付けられる状態になり、開閉検出スイッチ３０により出力された蓋１８の開放及び閉鎖の検出信号が、配線４８を介して情報発信装置２６の検出入力端子に入力される。情報発信装置２６では、蓋１８の開放及び閉鎖の検出信号を受け取る度に、前述したように、容器１０の位置情報とともに蓋１８の開放及び／または閉鎖の情報を監視センタ２２に通報する。
【００２０】
なお、開閉検出スイッチ３０とラッチ回路４０との間には蓋閉蓄積回路４４が設けられている。これは、容器１０への廃棄物投入中または蓋１８を開放して容器１０を運搬中等に、開閉検出スイッチ３０の駆動レバー３１の角度が短時間変化して蓋１８の閉鎖を誤検出することを防止するため、開閉検出スイッチ３０で蓋１８の閉鎖を検出してから所定時間、例えば１０秒程度ラッチ回路４０をセット状態とすることを遅延させるためのものである。これにより、一定時間以上蓋１８の閉の状態が継続しなければ情報発信装置２６で蓋１８の閉を検出せず、上記誤検出を防止できる。また、情報発信装置２６の検出入力端子には、上記配線４８の他、蓋閉強制出力回路４６からも信号が入力されている。これは、情報発信装置２６が蓋１８の開閉を検出するタイミングは、開から閉及び閉から開へ変化する時点であるが、上述した通り、蓋１８の最初の閉鎖の後で情報発信装置２６の電源がオンとなるので、この時だけ蓋１８の開から閉への変化を検出できない。そこで、蓋閉強制出力回路４６により、情報発信装置２６の電源がオンとなった後、一端擬似的に蓋１８が開となったような信号を出力し、その後閉となった信号を出力して、情報発信装置２６に蓋１８の閉鎖を認識させている。
【００２１】
以上により、蓋１８の最初の閉鎖が検出されると通報端末２０の電源がオンとなり、蓋１８の開放及び／または閉鎖の監視が開始される。この時点以降に蓋１８が開放及び／または閉鎖されると、容器１０の位置情報とともに蓋１８の開放及び／または閉鎖の情報が情報発信装置２６により監視センタ２２に通報され、適正な位置で容器１０の蓋１８が開放及び／または閉鎖されているか、不法投棄の可能性がないかを監視することができる。
【図面の簡単な説明】
【００２２】
【図１】本発明にかかる廃棄物監視システムの構成例を示す図である。
【図２】通報端末の構成例を示す図である。
【図３】容器の蓋を閉鎖したことを検出する際の説明図である。
【図４】電源制御部の構成のブロック図である。
【符号の説明】
【００２３】
１０  容器、１２  排出者、１４  運搬車両、１６  最終処理業者、１８  蓋、
２０  通報端末、２２  監視センタ、２４  ケース、２６  情報発信装置、２７  コネクタ、２８  電源制御部、３０  開閉検出スイッチ、３１  駆動レバー、３２  リセットスイッチ、３４  上蓋、３６  押圧部、３８  押しボタン、４０  ラッチ回路、４２  電源制御回路、４４  蓋閉蓄積回路、４６  蓋閉強制出力回路、４８  配線。
【図１】
2005022852.tif 000003
【図２】
2005022852.tif 000004
【図３】
2005022852.tif 000005
【図４】
2005022852.tif 000006
【手続補正書】
【提出日】平成15年8月1日(2003.8.1)
【手続補正１】
【補正対象書類名】特許請求の範囲
【補正対象項目名】全文
【補正方法】変更
【補正の内容】
【特許請求の範囲】
【請求項１】
廃棄物を収納する蓋付きの容器と、
前記容器に設置され、前記蓋の開放及び／または閉鎖を検出すると、前記容器の位置情報を通報する通報端末と、
前記通報端末から位置情報を受け取って記憶する監視センタと、
を備えることを特徴とする廃棄物監視システム。
【請求項２】
前記通報端末は、リセット操作により電源がオフとなり、その後最初に前記容器の蓋が閉鎖されると電源がオンとなることを特徴とする請求項１記載の廃棄物監視システム。
【請求項３】
前記通報端末は、前記位置情報とともに前記蓋の開放または閉鎖を区別して前記監視センタへ通報することを特徴とする請求項１または請求項２記載の廃棄物監視システム。
【請求項４】
廃棄物を容器に収納し、その容器を所定の廃棄場所へ運搬して廃棄物を廃棄する一連の廃棄物処理を監視する廃棄物監視方法であって、
廃棄物を収納する蓋付きの容器に、蓋の開閉及び容器の位置情報を検知できる通報端末を設置する工程と、
前記通報端末から前記蓋の開放及び／または閉鎖の度に前記容器の位置情報を監視センタに通報する工程と、
前記監視センタにおいて、前記通報された位置情報を記憶する工程と、
前記記憶した位置情報を必要に応じて表示または出力する工程と、
を備えることを特徴とする廃棄物監視方法。
【請求項５】
前記表示または出力する工程は、前記位置情報を受け取った時系列で表示または出力することを特徴とする請求項４記載の廃棄物監視方法。